(57)【要約】【課題】本発明は、監視装置からの映像信号のデータ容量を削減し、かつ映像の切り替えに際しても瞬時に鮮明な映像を表示することを可能にすることを目的とする。【解決手段】本発明に係る映像変換装置１０は、通信処理部１１、情報処理部１２及び記憶部１３を備え、情報処理部１２は、映像信号を復号化して各画像フレームを構成し、画像フレームのなかから予め定められた所定間隔の画像フレームを取り出し、取り出した各画像フレームに、映像信号として表示する際の新たなフレーム時刻（ＰＴＳ）を付し、新たな映像信号とする。【選択図】図１
2017169013.tif 000002
【特許請求の範囲】
【請求項１】
監視装置からの映像信号を受信する通信処理部と、
前記映像信号を復号化して新たな映像信号に変換し、前記新たな映像信号を記憶部に記憶させる情報処理部と、
を備え、
前記情報処理部は、
前記映像信号を復号化して各画像フレームを構成し、
前記画像フレームのなかから予め定められた所定間隔の画像フレームを取り出し、
取り出した各画像フレームに、映像信号として表示する際の新たなフレーム時刻を付し、
前記新たな映像信号とする、
映像変換装置。
【請求項２】
前記情報処理部は、前記新たな映像信号を符号化して前記記憶部に記憶させる、
請求項１に記載の映像変換装置。
【請求項３】
前記予め定められた所定間隔を設定するための設定部をさらに備え、
前記情報処理部は、前記設定部から設定された前記所定間隔の画像フレームを取り出す、
請求項１又は２に記載の映像変換装置。
【請求項４】
前記通信処理部は、
前記記憶部に記憶されている前記新たな映像信号を、予め定められた送信先に送信する、
請求項１から３のいずれかに記載の映像変換装置。
【請求項５】
前記情報処理部は、前記新たな映像信号に画像処理を施し、符号化して前記記憶部に記憶させる、
請求項１から４のいずれかに記載の映像変換装置。
【請求項６】
前記情報処理部は、予め定められた事象を検出した場合、前記所定間隔を変更する、
請求項１から５のいずれかに記載の映像変換装置。
【請求項７】
前記情報処理部は、前記新たな映像信号をファイル形式にし、外部の装置からアクセス可能な状態で前記記憶部に記憶させる、
請求項１から６のいずれかに記載の映像変換装置。
【請求項８】
監視装置からの映像信号を受信する通信処理部と、
前記映像信号を復号化して新たな映像信号に変換し、前記新たな映像信号を記憶部に記憶する情報処理部と、
を備える映像変換装置が実行する映像変換方法であって、
前記情報処理部が、
前記映像信号を復号化して各画像フレームを構成し、
前記画像フレームのなかから予め定められた所定間隔の画像フレームを取り出し、
取り出した各画像フレームに、映像信号として表示する際の新たなフレーム時刻を付し、
前記新たな映像信号とする、
映像変換方法。
【発明の詳細な説明】
【技術分野】
【０００１】
本発明は、映像変換装置に関する。
【背景技術】
【０００２】
台風や地震などの自然災害や設備の老朽化を監視するための装置が提案されている（例えば、非特許文献１参照。）。非特許文献１の装置は、符号化された映像信号を符号ごとに復号化し、共通のモニタに表示可能とする。
【０００３】
監視カメラの設置台数が増えるとともに、監視カメラが高画質化している。このため、監視映像を管理する装置に要求される記憶容量が非常に大きくなっている。
【０００４】
映像監視業務では、これら大量に蓄積された映像信号から任意の信号を取り出し、再度、映像信号を確認する場合があるが、この作業に時間を要している。
【先行技術文献】
【非特許文献】
【０００５】
【非特許文献１】都甲和幸、四柳靖彦、新地雄太、脇田智大、鈴木寛之、「Ｈ．２６４対応情報閲覧装置ＳｉｇｈｔＶｉｓｏｒの開発」、アンリツテクニカル、Ｎｏ．８９、Ｍａｒ．２０１４
【発明の概要】
【発明が解決しようとする課題】
【０００６】
本発明は、監視装置からの映像信号のデータ容量を削減し、かつ短時間で映像信号を表示することを可能とすることを目的とする。
【課題を解決するための手段】
【０００７】
本発明に係る映像変換装置は、
監視装置からの映像信号を受信する通信処理部と、
前記映像信号を復号化して新たな映像信号に変換し、前記新たな映像信号を記憶部に記憶させる情報処理部と、
を備え、
前記情報処理部は、
前記映像信号を復号化して各画像フレームを構成し、
前記画像フレームのなかから予め定められた所定間隔の画像フレームを取り出し、
取り出した各画像フレームに、映像信号として表示する際の新たなフレーム時刻を付し、
前記新たな映像信号とする。
【０００８】
本発明に係る映像変換装置では、前記情報処理部は、前記新たな映像信号を符号化して前記記憶部に記憶させてもよい。
【０００９】
本発明に係る映像変換装置では、前記予め定められた所定間隔を設定するための設定部をさらに備え、前記情報処理部は、前記設定部から設定された前記所定間隔の画像フレームを取り出してもよい。
【００１０】
本発明に係る映像変換装置では、前記通信処理部は、前記記憶部に記憶されている前記新たな映像信号を、予め定められた送信先に送信してもよい。
【００１１】
本発明に係る映像変換装置では、前記情報処理部は、前記新たな映像信号に画像処理を施し、符号化して前記記憶部に記憶させてもよい。
【００１２】
本発明に係る映像変換装置では、前記情報処理部は、予め定められた事象を検出した場合、前記所定間隔を変更してもよい。
【００１３】
本発明に係る映像変換装置では、前記情報処理部は、前記新たな映像信号をファイル形式にし、外部の装置からアクセス可能な状態で前記記憶部に記憶させてもよい。
【００１４】
本発明に係る映像変換方法は、
監視装置からの映像信号を受信する通信処理部と、
前記映像信号を復号化して新たな映像信号に変換し、前記新たな映像信号を記憶部に記憶する情報処理部と、
を備える映像変換装置が実行する映像変換方法であって、
前記情報処理部が、
前記映像信号を復号化して各画像フレームを構成し、
前記画像フレームのなかから予め定められた所定間隔の画像フレームを取り出し、
取り出した各画像フレームに、映像信号として表示する際の新たなフレーム時刻を付し、
前記新たな映像信号とする。
【００１５】
なお、上記各発明は、可能な限り組み合わせることができる。
【発明の効果】
【００１６】
本発明によれば、監視装置からの映像信号のデータ容量を削減し、かつ短時間で映像信号を表示することを可能にすることができる。
【図面の簡単な説明】
【００１７】
【図１】本実施形態に係る映像監視システムの一例を示す。
【図２】映像信号の一例を示す。
【発明を実施するための形態】
【００１８】
以下、本発明の実施形態について、図面を参照しながら詳細に説明する。なお、本発明は、以下に示す実施形態に限定されるものではない。これらの実施の例は例示に過ぎず、本発明は当業者の知識に基づいて種々の変更、改良を施した形態で実施することができる。なお、本明細書及び図面において符号が同じ構成要素は、相互に同一のものを示すものとする。
【００１９】
（実施形態１）
図１に、本実施形態に係る映像監視システムの一例を示す。本実施形態に係る映像監視システムは、監視装置２０と映像変換装置１０が通信ネットワーク１００で接続されている。映像変換装置１０は、通信処理部１１、情報処理部１２、記憶部１３、設定部１４、表示部１５及び転送部１６を備える。記憶部１３は、映像変換装置１０に内蔵されたメモリであってもよいし、映像変換装置１０から取り出し可能な記録媒体であってもよい。
【００２０】
監視装置２０は、任意の監視対象を撮像し、映像信号を映像変換装置１０に送信する。監視装置２０は、さらに監視対象の音声を録音し、音声信号を映像変換装置１０に送信してもよい。通信処理部１１は、監視装置２０から送信された映像信号及び音声信号を受信する。情報処理部１２は、通信処理部１１の受信した映像信号及び音声信号を記憶部１３に記憶させる。
【００２１】
情報処理部１２は、任意の映像信号を復号する。例えば、ＭＰＥＧ（Ｍｏｖｉｎｇ  Ｐｉｃｔｕｒｅ  Ｅｘｐｅｒｔｓ  Ｇｒｏｕｐ）−２、ＭＰＥＧ−４、Ｈ．２６４又はＨ．２６５である。
【００２２】
情報処理部１２の復号した映像信号は、フレーム時刻ごとの画像を含む。例えば、毎秒３０フレームの映像信号であれば、１／３０秒ごとの画像フレームを含む。画像フレームには、フレーム時刻を示すＰＴＳ（Ｐｒｅｓｅｎｔａｔｉｏｎ  ＴｉｍｅＳｔａｍｐ）が付与されている。情報処理部１２は、映像信号及び音声信号を記憶部１３に記録させるに際し、以下の処理を行う。
【００２３】
情報処理部１２は、復号した映像信号を用いて、各画像フレームの画像を完成させる。これにより、各画像フレームに付与されたフレーム時刻における監視対象の状態を、画像フレーム単体で表示可能にする。
【００２４】
情報処理部１２は、画像を完成させた各画像フレームのなかから、予め定められた所定間隔の画像フレームを残し、その他の画像フレームを間引く。これにより、映像信号のデータ量を少なくし、記憶部１３における記憶領域の圧迫を防ぐことができる。
【００２５】
図２に、映像信号の一例を示す。画像フレームＦ１，Ｆ２，Ｆ３，Ｆ４には、それぞれ、０／３０ｓ，１／３０ｓ，１０ｓ，２０ｓのＰＴＳが付与されている。この場合、１０秒ごとの画像フレームＦ１，Ｆ３，Ｆ４を残し、画像フレームＦ２などのその他の画像フレームを間引く。
【００２６】
情報処理部１２は、残した画像フレームに、新たなＰＴＳを付与する。例えば、情報処理部１２は、ＰＴＳとして、画像フレームＦ１，Ｆ３，Ｆ４に、それぞれ、０／３０ｓ，１／３０ｓ，２／３０ｓを付与する。これにより、映像信号の再生時に、実時間よりも短い時間で再生可能な映像信号を記憶部１３に記憶させることができる。
【００２７】
画像フレームを残す所定間隔は任意である。例えば、一定間隔である。所定間隔を１０秒にすると、実時間では１０秒間隔である画像フレームが１／３０秒間隔で再生されるため、実時間であれば２４時間になる映像信号を５分程度で再生することができる。
【００２８】
情報処理部１２は、画像フレームを残す所定間隔に合わせて、音声信号を短縮してもよい。例えば、実時間では１０秒間隔である画像フレームを１／３０秒間隔の画像フレームにする場合、情報処理部１２は、１０秒間の音声信号を１／３０秒に短縮する。
【００２９】
画像フレームを残す所定間隔は任意に設定可能である。例えば、設定部１４が所定間隔を設定すると、情報処理部１２は、設定された所定間隔ごとの画像フレームを残し、その他の画像フレームを間引く。設定部１４は、１秒〜１０秒のうちの１秒単位で設定可能であることが好ましい。
【００３０】
情報処理部１２は、新たなＰＴＳを付与した映像信号に符号化処理を行うことが好ましい。これにより、映像信号のデータ量を少なくし、記憶部１３における記憶領域の圧迫を防ぐことができる。符号化処理は、映像信号を圧縮可能な任意の符号を用いることが可能であり、例えば、ＭＰＥＧ−２、ＭＰＥＧ−４、Ｈ．２６４又はＨ．２６５である。
【００３１】
情報処理部１２は、符号化処理を行う前に、新たなＰＴＳを付与した映像信号に画像処理を施してもよい。例えば、映像信号に含まれる各画像フレームの階調を調整してもよい。外光によって監視対象の照度が変わる場合、映像信号をそのまま圧縮すると、画質が劣化する可能性がある。そのような場合に、各画像フレームの階調を調整することで、監視対象の鮮明な映像を記憶部１３に記録することができる。
【００３２】
情報処理部１２は、符号化処理を行う前に、各画像フレームに任意の情報を格納してもよい。例えば、監視装置２０が監視対象を撮像した際の各画像フレームのフレーム時刻を、画像フレームごとに格納してもよい。
【００３３】
常時監視を行う場合、記録しておかなければならない映像信号のデータ量は膨大となる。本実施形態に係る映像監視システムは、監視対象の映像信号から画像フレームを間引き、圧縮して、記憶部１３に記憶する。このため、記憶部１３に記憶するデータ量を少なくすることができる。また、長時間にわたって記録された映像信号を短時間で表示することができる。
【００３４】
新たな映像信号を記憶部１３に記憶させる形式をファイル形式とすることによって、通信ネットワーク２００で接続された外部の装置からアクセス可能としてもよい。例えば、転送部１６は、蓄積装置４０又は取得装置５０からの要求に応じ、映像信号のファイルを記憶部１３から読み出し、外部の蓄積装置４０に転送したり、映像変換装置がサーバとなり他の取得装置５０などへファイルを供給してもよい。
【００３５】
また、記憶部１３に記憶されている映像信号をファイル形式で保存する場合に、各画像フレームに付与されたフレーム時刻における監視対象の状態を、画像フレーム単体で格納してもよい（たとえばＭｏｔｉｏｎ  ＪＰＥＧ形式）。この場合、本実施形態に係る映像監視システムは、監視映像を切り替える場合であっても、瞬時に鮮明な映像を表示することができる。
【００３６】
本実施形態に係る映像監視システムは、任意の監視対象に適用することができる。例えば、河川、港湾又はダムなどにおける水位、道路を通行する車、橋梁の老朽化による変化、火山の噴火口、土砂崩れのおそれのある山の斜面である。このように、常時監視を行う必要があるが、１／３０秒ごとの画像フレームを映像として残しておく必要に乏しい監視対象について、記憶部１３に要求される記憶容量を必要最低限にすることができる。
【００３７】
なお、情報処理部１２は、映像信号を記憶部１３に記憶させるだけでなく、監視装置２０から受信した映像信号を、リアルタイムで表示部１５に表示してもよい。この場合、情報処理部１２は、リアルタイムの映像信号と、記憶部１３から読み出した映像信号を、同時に表示部１５に表示してもよい。これによって、監視者は現在の映像と過去の映像を対比しながら監視できる。
【００３８】
（実施形態２）
本実施形態に係る映像監視システムは、予め定められた事象に応じて、画像フレームを残す所定間隔を変更できる。
【００３９】
情報処理部１２は、映像信号又は音声信号において予め定められた事象を検出した場合、画像フレームを残す所定間隔を変更する。例えば、所定間隔を短くしたり、元の間隔に戻したりする（すなわち間引かない）。
【００４０】
予め定められた事象は任意である。
監視対象が河川、港湾又はダムなどにおける水位の場合、予め定められた事象は、例えば、水位を測定する水位計の目盛りが予め定められた水位を超えたことである。
監視対象が道路の場合、予め定められた事象は、例えば、音声信号に急ブレーキや衝突音などの事故の可能性のある音声が含まれていることである。
監視対象が火山の場合、予め定められた事象は、例えば、当該火山の火口付近の温度又は振動である。
監視対象が土砂崩れのおそれのある山の場合、予め定められた事象は、例えば、当該山の火口付近の温度又は振動である。
【００４１】
本実施形態に係る発明によれば、画像フレームを残す所定間隔を変更することで、記憶部１３に記憶されている映像信号を用いて、監視対象の詳細な分析を行うことが可能になる。
【００４２】
（実施形態３）
本実施形態に係る映像監視システムは、映像信号を配信する。例えば、情報処理部１２は、記憶部１３から映像信号を読み出し、映像信号を映し出す映像装置３０に送信する。
【００４３】
記憶部１３は、画像フレームを間引きかつ符号化された映像信号を記憶している。このたため、情報処理部１２は、長時間の映像信号を少ないデータ量で送信することができる。
【産業上の利用可能性】
【００４４】
本発明は情報通信産業に適用することができる。
【符号の説明】
【００４５】
１０：映像変換装置
１１：通信処理部
１２：情報処理部
１３：記憶部
１４：設定部
１５：表示部
１６：転送部
２０：監視装置
３０：映像装置
４０：蓄積装置
５０：取得装置
１００、２００：通信ネットワーク
【図１】
2017169013.tif 000003
【図２】
2017169013.tif 000004